(57)【特許請求の範囲】
【請求項１】
背板部とこの背板部の両側から手前に延在する側片部とを有するケース本体と、
前記側片部間で位置固定され、衛生薄葉紙の取出口が設けられ、衛生薄葉紙が重層された衛生薄葉紙積層体を上面で支持するペーパー支持体と
前記ケース本体及びペーパー支持体を被覆する蓋体と、を備え
前記薄葉紙積層体のうちの最下面の最下薄葉紙を、前記取出口から１枚ずつ取り出すためのディスペンサーであって、
前記ペーパー支持体のケース本体に対する固定位置が、複数の固定位置から選択可能とされ、
その固定位置の選択によってペーパー支持体と背板部と離間距離が異なるように構成されている、
ことを特徴とする衛生薄葉紙ディスペンサー。
【請求項２】
前記ペーパー支持体は、両側一対の位置決め用突起部を有し、
前記ケース本体は、両側片部一対の位置決め用孔を、背板部に対する離間距離が相違する位置に複数有し、
前記位置決め用突起部を、複数ある一対の位置決め用孔の何れに嵌合させるかを選択することにより、ケース本体に対する前記ペーパー支持体の固定位置が異なるように構成されている請求項１記載の衛生薄葉紙ディスペンサー。
【発明の詳細な説明】
【技術分野】
【０００１】
本発明は、衛生薄葉紙ディスペンサーに関する。さらに詳しくは、キッチンペーパー、ペーパータオル、手ふき用等の清拭用ワイプなどの衛生薄葉紙が重層された衛生薄葉紙積層体を内部に収納し、底部に設けられた取出口から衛生薄葉紙積層体のうち最下面の最下衛生薄葉紙を１枚ずつ取り出すための衛生薄葉紙ディスペンサーに関する。
【背景技術】
【０００２】
この種のディスペンサーは、その形状は種々であるが、基本的には衛生薄葉紙の積層体を入れるケースの底部に取出口が形成されていて、その取出口から衛生薄葉紙を１枚ずつつまんで取り出せるようにした構造を採る。
衛生薄葉紙積層体は、四角形の衛生薄葉紙を折り畳まれて一部が重なるようにして積層されており、個々の衛生薄葉紙の紙特有の摩擦によって、最底部の衛生薄葉紙を取出口から引き出すと、次の衛生薄葉紙の一部が取出口から露出される。
他方、この種の従来のディスペンサーは、内部に収める衛生薄葉紙の大きさにより、ケース内の大きさを設計するのが一般的であり、衛生薄葉紙の各種の規格に応じた大きさのディスペンサーが用意されている。
【特許文献１】特開２００１−８７１６１
【特許文献２】実開平４−１００４８０
【特許文献３】実開昭６２−５８３７５
【特許文献４】実開平６−４２７５１
【特許文献５】実開平４−５０６８１
【発明の開示】
【発明が解決しようとする課題】
【０００３】
従って、従来のディスペンサーは、種々の衛生薄葉紙の大きさに対応できるものではなく、収める衛生薄葉紙の大きさを変更する際には、ディスペンサーの取り替えも必要となっていた。
そこで、本発明の主たる課題は、異なる大きさの衛生薄葉紙に対応可能な衛生薄葉紙ディスペンサーを提供することにある。
【課題を解決するための手段】
【０００４】
上記課題を解決した本発明は次記の通りである。
＜請求項１記載の発明＞
背板部とこの背板部の両側から手前に延在する側片部とを有するケース本体と、
前記側片部間で位置固定され、スリット状の取出口を有し、衛生薄葉紙が重層された衛生薄葉紙積層体を上面で支持するペーパー支持体と
前記ケース本体及びペーパー支持体を被覆する蓋体と、を備え
前記薄葉紙積層体のうちの最下面の最下薄葉紙を、前記取出口から１枚ずつ取り出すためのディスペンサーであって、
前記ペーパー支持体のケース本体に対する固定位置が、複数の固定位置から選択可能とされ、
その固定位置の選択によってペーパー支持体と背板部と離間距離が異なるように構成されている、
ことを特徴とする衛生薄葉紙ディスペンサー。
【０００５】
＜請求項２記載の発明＞
前記ペーパー支持体は、両側一対の位置決め用突起部を有し、
前記ケース本体は、両側片部一対の位置決め用孔を、背板部に対する離間距離が相違する位置に複数有し、
前記位置決め用突起部を、複数ある一対の位置決め用孔の何れに嵌合させるかを選択することにより、ケース本体に対する前記ペーパー支持体の固定位置が異なるように構成されている請求項１記載の衛生薄葉紙ディスペンサー。
【発明の効果】
【０００６】
以上のとおり、本発明によれば、異なる大きさの衛生薄葉紙に対応可能な衛生薄葉紙ディスペンサーが提供される。
【発明を実施するための最良の形態】
【０００７】
次いで、本発明の実施の形態を図１〜５を参照しながら以下に詳述する。
本発明の衛生薄葉紙ディスペンサーは、その素材が例えばＡＢＳ樹脂等の合成樹脂であり、特に図１の分解斜視図に示されるように、ケース本体１と、ペーパー支持体２と、蓋体３とで構成されている。
【０００８】
ケース本体１は、天板部１０と背板部１１とこの背板部１１の両側縁において、前記背板部１１と直角をなして手前に延在する左右一対の側片部１２，１２とを有する。
側片部１２，１２の下部には、ペーパー支持体２を固定及び位置決めするための複数の一対の位置決め用孔１２Ａ，１２Ａ（１２Ｂ，１２Ｂ）が形成されている。
【０００９】
本形態では、背板部１１に近い位置に一対の第１位置決め用孔１２Ａ，１２Ａが形成され、背板部１１から遠い位置に一対の第２位置決め用孔１２Ｂ，１２Ｂが形成されている。また、前記第１位置決め用孔１２Ａは、第２位置決め用孔１２Ｂよりも、若干上部側に形成されている。
各位置決め用孔１２Ａ，１２Ｂの形状については特に限定されない。円形孔であっても四角形孔であってもよい。図示例では、円形孔を採用している。
【００１０】
他方、側片部１２，１２の下部には、さらに各位置決め孔１２Ａ，１２Ｂとは別に、ペーパー支持体２の固定を確実にするために、各位置決め孔１２Ａ，１２Ｂに対応する係止用長孔１２ａ，１２ｂが形成されている。
図示例では、係止用長孔１２ａ，１２ｂは、各位置決め孔１２Ａ，１２Ｂの上部側に適当距離離間した位置に形成されている。
なお、この係止用長孔の形状も適宜変更することが可能である。
【００１１】
さらに、側片部１２，１２の下部には、前記ペーパー支持体２を固定するための位置決め用孔等１２Ａ，１２ａ（１２Ｂ，１２ｂ）とは別に、前記蓋体３が連結される複数の一対の円形孔１３Ａ，１３Ａ（１３Ｂ，１３Ｂ）が形成されている。
図示の形態では、背板部１１に近い位置に一対の第１の蓋体連結用円孔１３Ａ，１３Ａが、背板部１１から遠い位置に一対の第２の蓋体連結用円孔１３Ｂ，１３Ｂが形成されている。
【００１２】
他方、ペーパー支持体２は、前記背板部１１と略平行であって中央部が幅広とされたスリット状の取出口２０を有し、前記ケース本体１の下部において前記各側片部１２，１２に対して固定されていてディスペンサーＸ１の底部を構成している。
このペーパー支持体２は、左右側部に位置決め用突起部２１，２１を有しており、この位置決め用突起部２１，２１を前記一対の第１又は第２の位置決め用孔のいずれかに嵌合して、前記側片部間の所定位置に位置決めされる。
【００１３】
図３は、第１位置決め用孔に嵌合させた状態であり、図４は第２位置決め用孔に嵌合させた状態を示している。なお、図３及び４は、蓋体３を取り外した状態である。
また、ペーパー支持体２は、左右側部に位置決め用突起部２１，２１とは別の係止片２２，２２を有しており、前記位置決め用突起部２１，２１の位置決め孔１２Ａ、１２Ａ（１２Ｂ、１２Ｂ）への嵌合とともに、係止片２２，２２を係止長孔１２ａ，１２ａ（１２ｂ、１２ｂ）に嵌合して、ペーパー支持体２がケース本体１の側片部１２，１２間に固定されている。
【００１４】
他方、蓋体３は、図２に示す通り、天板部３０と前板部３１と前板部３１の両側縁において前記前板部３１と直角をなして奧側に延在する蓋側片部３２，３２とを有し、底側は解放されている。
前板部３１の高さはケース本体１の背板部１１より若干高く、また両蓋側片部３２，３２の間はケース本体１の側片部間１２，１２よりも若干幅広に形成されている。
【００１５】
さらに、蓋体３は、その蓋側片部３２，３２の下部に形成された、対面する蓋側片部に向かって突出する円形突起３３，３３を有し、この円形突起３３，３３がケース本体１の前記一対の蓋体連結用円孔１３Ａ（１３Ｂ）の何れかに、側片外方側から回動自在に嵌合されて、この突起部を軸にしてケース本体１に対して開閉可能とされている。
なお、図５は、第２の蓋体連結用円孔１３Ｂ、１３Ｂに嵌合されている状態を示す図である。
【００１６】
このように、本形態の衛生薄葉紙ディスペンサーＸ１では、各突起２１，２２，３３と孔１２Ａ，１２ａ，１３Ａ（１２Ｂ，１２ｂ，１３Ｂ）との嵌合によって、ケース本体１、ペーパー支持体２、蓋体３とが連結されている。
好適には、この連結状態は、背板部１１内面と前板部３１内面との中間にペーパー支持体２の取出口２０が位置されるのがよい。従って、かかる配置となるように各突起２１，２２，３３及び孔１２Ａ…の位置が定められている形態が特に望ましい。
【００１７】
各突起の孔へ嵌合については、例えばＡＢＳ樹脂等の素材が有する撓みを利用して、側片部間を広げておき、その間に突起部を孔に嵌合させればよい。この場合、突起長さは限界撓み量や側片部の厚さ等を考慮して適宜定めればよい。
そして、本形態の衛生薄葉紙ディスペンサーＸ１は、以上の構成であることにより、ペーパー支持体２の突起２１，２２等を、ケース本体１の第１位置決め孔１２Ａ又は第２位置決め孔１２Ｂの何れに嵌合するかによって、ペーパー支持体２とケース本体１の背板部１１との離間距離が調整できる。
【００１８】
さらに、蓋体３の突起部３３，３３をそれに応じてケース本体１の背板部に近い位置にある円孔か遠い位置にある円孔の何れに嵌合させるかによって、ペーパー支持体２と蓋体の前板との離間距離も調整できる。これら構成により、ディスペンサーＸ１の蓋を閉めた状態における内部の奥行きが調整可能となる。
【００１９】
なお、一方側片部における各孔間の距離、具体的な位置、蓋連結用孔と位置決め用孔との離間距離や位置関係は、奥行き調整幅に応じて適宜定めるものであり、必ずしも限定されるものではない。そして、その調整幅は、ペーパータオル、キッチンペーパーのサイズ規格、例えば、大判、中判、小判等の規格を考慮して定めればよい。なお、大判としては、２３０〜２５０ｍｍ×２３０〜２５０ｍｍ、中判としては、２００〜２３０ｍｍ×２００〜２３０ｍｍ、小判としては、１５０〜１８０ｍｍ×２００〜２３０ｍｍのサイズが好適である。
【００２０】
かくして、本形態の衛生薄葉紙ディスペンサーＸ１は、収納する衛生薄葉紙の大きさに応じた、適当なケース内奥行きを選択することができる。
なお、ディスペンサーの内部の構成については、特に限定されるものではなく、本発明の趣旨に反しない範囲で、従来技術を採用できる。例えば、背板部内面、前板部外面にガイドリブ等を設けて、衛生薄葉紙の加重を調整する加重調整機構などを有する構造など、代表的に特開２００１−８７１６１に開示される内部構造を採ることができる。
【産業上の利用可能性】
【００２１】
本発明は、キッチンペーパー、ペーパータオル、手拭き用等の清拭用ワイプ等の衛生薄葉紙が重層された衛生薄葉紙積層体を内部に収納し、底部に設けられた取出口から衛生薄葉紙積層体のうち最下面の最下衛生薄葉紙を１枚ずつ取り出すための衛生薄葉紙ディスペンサーで利用可能である。
【図面の簡単な説明】
【００２２】
【図１】本発明の衛生薄葉紙ディスペンサーを構成するケース本体、ペーパー支持体、蓋体を示す分解斜視図である。
【図２】蓋体を示す斜視図である。
【図３】位置決め用突起を第１位置決め用孔に嵌合させた状態を示す斜視図である。
【図４】位置決め用突起を第２位置決め用孔に嵌合させた状態を示す斜視図である。
【図５】蓋体を開けた状態の斜視図である。
【符号の説明】
【００２３】
１…ケース本体、２…ペーパー支持体、３…蓋体、１０…天板部、１１…背板部、１２…側片部、１２Ａ…第１位置決め用孔、１２Ｂ…第２位置決め用孔、１２ａ（１２ｂ）…係止用長孔、１３Ａ…第１の蓋体連結用円孔、１３Ｂ…第２の蓋体連結用円孔、２０…取出口、２１…位置決め用突起部、２２…係止片、３０…天板部、３１…前板部、３２…蓋側片部、３３…円形突起、Ｘ１…衛生薄葉紙ディスペンサー。
【図１】
0004615550.tif 000002
【図２】
0004615550.tif 000003
【図３】
0004615550.tif 000004
【図４】
0004615550.tif 000005
【図５】
0004615550.tif 000006